Podtech/llm-jp-corpus-v4-ja_patent huggingface dataset:
(57)【要約】      （修正有）【課題】血流を良くし体調を整え、かつ気軽に着用できる製品を提供する。【解決手段】繊維製品例えば下着、パジャマ、ルームウェア、ネクタイ、トレーナー、ヘアーバンド、リストバンド、アンクルバンド、枕カバー、布団カバー、ショール、ひざ掛け本体に高純炭素を付着した不織布を縫い付ける。これにより、身体の血流を良くし、かつ個々人の好みに合わせて必要な製品を選ぶことをができる。【選択図】図１
0003138246.tif 000002
【実用新案登録請求の範囲】
【請求項１】
高純炭素を付着した不織布を少なくとも一部に縫い付けていることを特徴とする繊維製品。
【請求項２】
下着である請求項１記載の製品。
【請求項３】
パジャマである請求項１記載の製品。
【請求項４】
ルームウエアである請求項１記載の製品。
【請求項５】
ネクタイである請求項１記載の製品。
【請求項６】
トレーナーである請求項１記載の製品。
【請求項７】
ヘアーバンドである請求項１記載の製品。
【請求項８】
リストバンドである請求項１記載の製品。
【請求項９】
アンクルバンドである請求項１記載の製品。
【請求項１０】
枕カバーである請求項１記載の製品。
【請求項１１】
布団カバーである請求項１記載の製品。
【請求項１２】
ショールである請求項１記載の製品。
【請求項１３】
ひざ掛けである請求項１記載の製品。
【請求項１４】
布団カバーである請求項１記載の製品。
【考案の詳細な説明】
【技術分野】
【０００１】
本考案は、繊維製品において個々人の用途に合わせて高純度炭素付着布を繊維製品につけることにより体調を良くし、かつ形状は通常使用している繊維製品である。
【背景技術】
【０００２】
現代人は、長時間の車の運転やデスクワークなどで運動不足になっており血流が悪く、むくみ、冷え性、筋肉疲労などになりがちである。
【０００３】
さらに血流の悪さが諸々の病気の引き金にもなりかねない。
【０００４】
従来血流を良くする化学物質は直接肌に触れねばならなかった。
【特許文献１】特開
【考案の開示】
【考案が解決しようとする課題】
【０００５】
本考案の課題は、上述した問題点を解決するため、通常使用している繊維製品に高純炭素を縫い付けることにより手軽に血流を良くする製品を提供することである。
【課題を解決するための手段】
【０００６】
本考案は、上述した課題を解決するため、高純炭素とトルマリンとの融合により血流を良くする効果のある不織布を繊維製品に縫い付けることにより、手軽に健康を維持できる製品を消費者に提供できる。
摂南大学薬学部教授（大阪）、宮田秀明氏考案素材
【０００７】
すなわち、個々人の生活習慣により使用する個々のアイテムで気軽に健康になれる利点がある。
【考案の効果】
【０００８】
通常使用するアイテムで血流が良くなるのでお年寄りでも無理なく健康になれる利点がある。
【考案を実施するための最良の形態】
【０００９】
本考案は日常的な繊維製品に高純炭素を縫い付けることを特徴とする。
【００１０】
さらに、高純炭素が血流を良くし日常生活を円滑に送れる機能を持たせた構造である。
【実施例】
【００１１】
図１は本考案からなるブラジャーの図である。
【００１２】
図２は本考案からなるショーツの図である。
【００１３】
図３は本考案からなるトランクスの図である。
【００１４】
図４は本考案からなるシャツの図である。
【００１５】
図５は本考案からなるパジャマの図である。
【００１６】
図６は本考案からなるルームウエアの図である。
【００１７】
図７は本考案からなるショールの図である。
【００１８】
図８は本考案からなるひざ掛けの図である。
【００１９】
図９は本考案からなるヘアーバンドの図である。
【００２０】
図１０は本考案からなるリストバンドの図である。
【００２１】
図１１は本考案からなるアンクルバンドの図である。
【００２２】
図１２は本考案からなる枕カバーの図である。
【００２３】
図１３は本考案からなる布団カバー、シーツの図である。
【００２４】
図１４は本考案からなるネクタイの図である。
【図面の簡単な説明】
【００２５】
【図１】本考案の実施例からなるブラジャーを前から見た図である。
【図２】本考案の実施例からなるショーツを前から見た図である。
【図３】本考案の実施例からなるトランクスを前から見た図である。
【図４】本考案の実施例からなるシャツを前から見た図である。
【図５】本考案の実施例からなるパジャマを前から見た図である。
【図６】本考案の実施例からなるルームウエアを前から見た図である。
【図７】本考案の実施例からなるショールを前から見た図である。
【図８】本考案の実施例からなるひざ掛けを前から見た図である。
【図９】本考案の実施例からなるヘアーバンドを前から見た図である。
【図１０】本考案の実施例からなるリストバンドを前から見た図である。
【図１１】本考案の実施例からなるアンクルバンドを前から見た図である。
【図１２】本考案の実施例からなる枕カバーを前から見た図である。
【図１３】本考案の実施例からなる布団カバー、シーツを前から見た図である。
【図１４】本考案の実施例からなるネクタイを前から見た図である。
【符号の説明】
【００２６】
Ａ    高純炭素縫い付け部
【図１】
0003138246.tif 000003
【図２】
0003138246.tif 000004
【図３】
0003138246.tif 000005
【図４】
0003138246.tif 000006
【図５】
0003138246.tif 000007
【図６】
0003138246.tif 000008
【図７】
0003138246.tif 000009
【図８】
0003138246.tif 000010
【図９】
0003138246.tif 000011
【図１０】
0003138246.tif 000012
【図１１】
0003138246.tif 000013
【図１２】
0003138246.tif 000014
【図１３】
0003138246.tif 000015
【図１４】
0003138246.tif 000016
(57)【要約】 【課題】    本考案は他からゴミ袋を持ってくること無く、ゴミ容器本体に、連続ゴミ袋をセットしたカセットを設け案内孔を通してゴミ箱内部にゴミ袋を瞬時に装着する。【解決手段】本考案はゴミ容器本体１に連続ゴミ袋３の入ったカセット２を設けゴミ容器本体との間に設けた案内孔４を通して、連続ゴミ袋先端７を導き出しゴミ箱内部５に装着する。一杯になったゴミ袋は取り出すと同時に切り込み線６で切り離し新たな先端7aを開き瞬時にゴミ箱内部５に装着出来る。【選択図】図１
0003138322.tif 000002
【実用新案登録請求の範囲】
【請求項１】
ゴミ容器本体と、複数のゴミ袋を切り離し自在に連結した連続ゴミ袋と、該連続ゴミ袋を収納する収納部とを備え、前記連続ゴミ袋を前記ゴミ容器本体内で引き出し可能にしたことを特徴とするゴミ容器。
【請求項２】
前記収納部に収納された前記連続ゴミ袋の先端を前記ゴミ容器本体内に案内して該連続ゴミ袋を該ゴミ容器本体内で引き出し可能になす案内手段を備えた事を特徴とする請求項１記載のゴミ容器
【請求項３】
前記ゴミ容器本体上部外側に収納筒を設け前記収納部とすると共に、前記該ゴミ容器本体上部と、前記該収納筒に形成した案内孔を前記案内手段とした事を特徴とする請求項２記載のゴミ容器。    
【請求項４】
前記収納部に前記連続ゴミ袋を外部から出し入れ自在に成す、出し入れ口を設けたことを特徴とする１〜３のいずれか一項に記載のゴミ容器。
【考案の詳細な説明】
【技術分野】
【０００１】
本考案は、ゴミ容器及び該ゴミ容器内装用のゴミ袋に関する。
【背景技術】
【０００２】
一般に、ゴミ容器は、汚れの防止等のために該容器の容積に対応した大きさのゴミ袋を
内装して用いられる。そして、ゴミが溜まるとゴミ容器からゴミが入ったゴミ袋を取り
だし、その後、別の場所より新たなゴミ袋を用意し該ゴミ容器にゴミ袋を内装する。
【考案の開示】
【考案が解決しようとする課題】
【０００３】
しかしながら、かかる従来のゴミ容器においては、ゴミ袋の交換毎に新たなゴミ袋を別
の場所から用意し装着するために面倒で手間もかかる、特に事務作業中のシュレッダー
のゴミ袋や、炊事中のゴミ袋交換等は特に不都合である。
【０００４】
本考案は、かかる不都合を解消するためになされたものであり、ゴミ袋の交換時に新た
な場所よりゴミ袋を用意することなく容易に装着できるゴミ容器及び連続ゴミ袋セット
を提供することを目的とする。
【課題を解決するための手段】
【０００５】
かかる目的を達成するために、請求項１に係るゴミ容器は、ゴミ容器本体と、複数のゴ
ミ袋を切り離し自在に連結した連続ゴミ袋と、該連続ゴミ袋を収納する収納部とを備え、
前記連続ゴミ袋を前記ゴミ容器本体内で引き出し可能にした事を特徴とする。
【０００６】
請求項２に係るゴミ容器は、前記収納部に収納された前記連続ゴミ袋の先端を前記ゴミ容器本体内に案内して該連続ゴミ袋を該ゴミ容器本体内で引き出し可能に成す案内手段を備えた事を特徴とする。  
【０００７】
請求項３に係るゴミ容器は、前記ゴミ容器の本体上部外側に収納筒を設け、前記収納部とすると共に前記該ゴミ容器本体上部と、前記該収納筒に形成した案内孔を前記案内手段としたことを特徴とする。
【０００８】
請求項４に係るゴミ容器は、前記ゴミ容器本体に取り付けた収納筒上部に前期連
続ゴミ袋出し入れ口を設けた事を特徴とする。
【考案の効果】
【０００９】
上記の説明から、明らかなように、請求項１〜３の考案では、ゴミの入ったゴミ袋をゴミ容器本体から取り出すときに該ゴミ袋につづいて新たなゴミ袋がゴミ容器本体内に引き出されているので、ゴミ袋を交換する際に従来のようにゴミ袋の交換毎に新たなゴミ袋を別の場所よりから用意する必要がなくなり、また、ゴミ容器本体内に引き出されているゴミ袋を該ゴミ容器本体に内装するだけで良い、従って、特に事務作業中のシュレッダーのゴミ袋や、主婦の炊事支度などの忙しい中でのゴミ袋交換時等には特に効果を期待できる。
【考案を実施するための最良の形態】
【００１０】
ゴミ容器本体上部側面に設けられた連続ゴミ袋カセットより、案内孔を通して連続ゴミ袋を引き出しそれを広げ該ゴミ容器本体内に装着する、ゴミが溜まったら該ゴミ袋を取り出し切り離し部分で切り離し、それを広げ速やかに該ゴミ容器内に装着可能となる。
【実施例】
【００１１】
以下、添付図面に従って一実施例を説明する。１は耐久性のプラスッチック等にて一体化されたゴミ箱本体、２は該ゴミ箱本体１に設けたゴミ袋カセットでカセット２の上部に設けたゴミ袋出し入れ口８より挿入した連続ゴミ袋３を収納する。
【００１２】
該ゴミ箱の側面に空けられた案内孔４を通して該ゴミ袋３の先端７を引き出し該ゴミ箱内部５に装着する。該ゴミ袋が一杯になったら該ゴミ袋を取り出して、切り込み線６より切り離し新たなゴミ袋の先端７aを開き該ゴミ箱内部５に装着する。
【００１３】
本考案の一実施例は上述の如き構成からなるものであるから、ゴミ箱本体１と一体化したゴミ袋カセット２の上部にゴミ袋出し入れ口８を設け連続ゴミ袋を３入れその先端７を案内孔４を通してゴミ箱内部５に装着し使用済み後に切り込み線６で切り取りゴミ袋の先端７aを広げ随時装着可能となる。
【図面の簡単な説明】
【００１４】
【図１】本考案の連続ゴミ袋カセット付きゴミ容器実施例を示す側面図である。
【図２】本ゴミ箱の使用図である。
【図３】連続ゴミ袋である。
【符号の説明】
【００１５】
１ゴミ箱本体
２ゴミ袋カセット
３連続ゴミ袋
４案内孔
５ゴミ箱内部
６切込み線
７ゴミ袋先端
８ゴミ袋出し入れ口
【図１】
0003138322.tif 000003
【図２】
0003138322.tif 000004
【図３】
0003138322.tif 000005
(57)【要約】      （修正有）【課題】普通の深さの鍋で開口部から水面までの距離をあまり取らなくてもふきこぼれが生じにくい鍋を提供する。【解決手段】底部１１と側面部１２とから構成される鍋本体１０と、当該鍋本体１０の側面部１２に取り付けられる把手２０とを有する茹で用鍋Ｘとして、鍋本体１０は底部１１中心を通る垂線を中心軸とする回転体であって、底部１１の外径に対して上部開口部１３の外径は２倍以上あり、側面部１２の縦断面形状が外方に脹らむ滑らかな曲線により形成されるとともに、当該曲線の開口縁部における接線はほぼ垂直に形成されるものである。【選択図】図１
0003138390.tif 000002
【実用新案登録請求の範囲】
【請求項１】
底部と側面部とから構成される鍋本体と、当該鍋本体の側面部に取り付けられる把手とを有し、
前記鍋本体は底部中心を通る垂線を中心軸とする回転体であって、前記底部の外径に対して上部開口部の外径は２倍以上あり、側面部の縦断面形状が外方に脹らむ滑らかな曲線により形成されるとともに、当該曲線の開口縁部における接線はほぼ垂直に形成される
茹で用鍋。
【考案の詳細な説明】
【技術分野】
【０００１】
本考案は、茹でることに使用する鍋に関する。
【背景技術】
【０００２】
普通の鍋で蕎麦やうどん、そうめんやひやむぎ、パスタなどの麺類を茹でると、必ず拭きこぼれが何度もある。そのため、じっと観察しながら差し水を入れたり、火加減を調整したりする必要がある。
このような問題は、寸胴といわれる鍋を用いて、鍋の開口部から水面までの距離を十分にとれば生じない。
【考案の開示】
【考案が解決しようとする課題】
【０００３】
しかし、寸胴は深さがあって全体として大きく、場所をとるために収納が困難であり、また、大量に水を必要とすることから、一般家庭での使用は敬遠されがちである。
本考案は、このような問題に鑑みて、普通の深さの鍋で開口部から水面までの距離をあまり取らなくてもふきこぼれが生じにくい鍋を提供することを課題とする。
【課題を解決するための手段】
【０００４】
上記課題を解決するために、本考案は次のような構成を有する。
即ち、本考案は、底部と側面部とから構成される鍋本体と、当該鍋本体の側面部に取り付けられる把手とを有する茹で用鍋であって、前記鍋本体は底部中心を通る垂線を中心軸とする回転体であって、前記底部の外径に対して上部開口部の外径は２倍以上あり、側面部の縦断面形状が外方に脹らむ滑らかな曲線により形成されるとともに、当該曲線の開口縁部における接線はほぼ垂直に形成されるものである。なお、底部は最も下部の点と同じ高さにある部分をいい、一点の場合も含まれる。
【考案の効果】
【０００５】
本考案は、上記のような構成を有することにより、鍋本体で湯を沸かして麺などを茹でると、側面部が底面から開口縁に向って徐々に勾配がきつくなるように形成されるとともに、開口縁部でほぼ垂直になるように形成されているので、側面を沿って上縁部から内側に向う対流が生じる。これにより、沸騰した湯は開口縁部から内側へ向うので、開口縁部からのふきこぼれを抑制することができる。
【考案を実施するための最良の形態】
【０００６】
以下、本考案の実施形態について、図を参照しながら説明する。
図１（ａ）に本実施形態にかかる茹で用鍋Ｘの斜視図を示し、（ｂ）に茹で用鍋Ｘの縦断面図を示す。本茹で用鍋Ｘは鍋本体１０と、鍋本体１０に固定される把手２０とから構成される。鍋本体１０は回転体であって、底部１１と側面部１２とから構成される。底部１１は円形であり側面部１１は底部１０の外周を取り囲むように底部１０に一体に形成される。側面部１１の上縁により形成される開口部１３の外径は底部１１の外径の２倍に形成されている。側面部は図１（ｂ）に示すように、縦断面形状外方に脹らむ滑らかな曲線により形成されるとともに、開口縁部における接線ｌがほぼ垂直に形成される。把手２０は、ステンレス製の線材をＵ字状に折り曲げ、端部を鍋本体１０の側面部外周面に溶接固定したものである。なお、ここでは鍋本体１０はステンレス製のボールが使用されている。
【０００７】
次に、以上のような構成を有する茹で用鍋Ｘの作用について説明する。茹で用鍋Ｘに図２に示すように水を入れ加熱すると、暖められた水はやがて湯となる。これにより、鍋本体１０内で対流が生じる。ここで、鍋本体１０は側面部１２が底部１１から滑らかに外方に広がるように湾曲するとともに、上方に向って勾配かきつくなり、上縁近傍では接線がほぼ垂直になるように形成されているので、対流は側面部１２に沿って上昇し、側面部１２上部近傍で対流の方向はほぼ垂直に向う。一方、鍋本体１０の上面中央近傍の湯の温度が最も低いので、この部分の湯は下方に降下し、対流の方向は中央では下方に向かう。即ち、側面部１２上部近傍でほぼ垂直方向に向う対流は、中央で下降する流れに引かれて内側に向かい、結果として図２の矢印で示すような対流が生じる。従って、鍋内の湯は水面の高さが開口縁に近くても、内側に向うような対流によって鍋内の湯はふきこぼれにくくなる。
【図面の簡単な説明】
【０００８】
【図１】（ａ）実施形態に係る茹で用鍋の斜視図であり、（ｂ）は当該茹で用鍋の縦断面図である。
【図２】茹で用鍋の作用を示す縦断面図である。
【符号の説明】
【０００９】
Ｘ  茹で用鍋
１０    鍋本体
１１    底部
１２    側部
１３    開口部
２０    把手
【図１】
0003138390.tif 000003
【図２】
0003138390.tif 000004
(57)【要約】      （修正有）【課題】各人が手を伸ばしただけで、ペーパーを使用できるという便利性があり、また、ティッシュボックスの交換も容易であり、ティッシュの取り出し口を下向きにし、ペーパーを最後の１枚まで１枚ずつ安定的に取り出しやすくする。【解決手段】食卓テーブルの天板６の下面に２、３、および４の枠と開口部７を設けた底板５からなる枠体を、粘着テープ１によって該天板に取り付け、ティッシュボックスを該ボックスの取り出し口を下にして前記置棚に置く。【選択図】図５
0003131963.tif 000002
【実用新案登録請求の範囲】
【請求項１】
食卓テーブルの天板の下面に、ティッシュペーパーボックスを設置するため、縁付きでかつ中央部に開口部を設けた底板と該底板を吊り下げる枠、天板下面に固定する枠、さらに、底板と前記枠によって構成された枠体を該テーブル下面に接着固定するための粘着剤、あるいはネジからなる、ティッシュペーパーボックス置棚。
【考案の詳細な説明】
【技術分野】
【０００１】本考案は，家族などが食卓テーブルを囲んで食事をする際、ティッシュペーパーが必要になることがある。テーブルに座った各人が手を伸ばしただけで、該ペーパーを使用することを可能にしたティッシュボックス置棚。
【背景技術】
【０００２】食卓テーブルの裏面の空間を利用した従来の技術としては、例えば、実用新案登録第３０１１６４３号、実用新案登録第３０２４３１６号、実用新案登録第３０３８８８６号、および実用新案登録第３０４０７５５号などがあるが、これらは、いずれもティッシュボックスがズリ落ちやすかったり、ティッシュペーパーを取り出すとき、いちいち回転させたりしなければなかったり、また、いろいろな高さのティシュボックスに対応できないという難点がある。さらに、実用新案登録第３０８０８５９号の技術があるが、該技術はテーブル天板の端部に取り付けて、該ボックスをスライドして取り出して使用しなければならないことと、端部に取り付けるため必要な箇所に複数取り付けなければならないという難点がある。また、実用新案第３１２８４９３号の同一人による考案がある。
【考案の開示】
【考案が解決しようとする課題】
【０００３】本考案は，前記の同一出願人に係わる技術の改良であって、前記考案はティシュボックスを上向きにして使用するものであるため、ティッシュペーパーを引き出す余裕高が必要であり、さらに該ペーパーの残量が少なくなったとき、該ペーパーが束状態で引き出され易いという課題がある。
【課題を解決するための手段】
【０００４】このため、請求項１にあるように、ティッシュボックスを置くことのできる大きさの縁枠付きで中央部に開口部を設けた底板と枠体からなる置棚とし、該枠体の高さを低くして、該ボックスのペーパーの取り出し口を下にして該ボックスを該棚に置き、ティシュペーパーを該開口部から取り出すようにしたものである。そして該棚を接着剤付きテープあるいは、ネジなどで食卓テーブルの天板の下面に吊り下げるように取り付け、食事中にティッシュペーパーを容易に使用することのできるティシュボックス置棚を提供する。
【考案の効果】
【０００５】本考案のティッシュボックス置棚は、食卓テーブルを囲んで食事をする際、ティッシュペーパーを必要とした食事中の各人が、該テーブルの椅子に座ったままの姿勢で、各人が手を伸ばしたたけで、該ペーパーを使用できるという便利性がある。また、ティッシュボックスの交換も容易であり、ティッシュの取り出し口が下向きのため、該ペーパーを最後の１枚まで１枚ずつ安定的に取り出しやすいというメリットがある。
【考案を実施するための最良の形態】
【０００６】以下，本考案を実施するための最良の形態を，図面を参照しながら，具体的に説明する。図１は、枠体の正面図である。
ティッシュボックスを載せる底板５と該ボックスがズリ落ちないように該底板の周囲にズリ落ち止めの縁枠４を取り付け、それらに吊り下げようの枠３を取り付ける。
本実施例では枠３は板状であるが、本実施例に限定するものではない。その他の方法としては、ヒモなどで吊り下げてもよい。枠３には食卓テーブルの天板６の下面に該枠体を取り付けるための、枠２を取り付ける。これらによって構成された枠体を該天板の下面に取り付けるため、粘着剤付きのテープ１を枠２に貼り付ける。
本実施例では該テープを粘着剤付きのものを使用しているが、本実施例に限定するものではない。その他の方法としては粘着剤付きのマジックテープ（登録商標）やネジなどで留める方法がある。【０００７】図２は、枠体の側面図である。天板６の下面に取り付けるための枠２は、本実施例では分離しているが、本実施例に限定するものではない。その他の方法としては、連続した１枚の板を用いる方法などがある。また、枠２、枠３、縁枠４、底板５は一体となって置棚を構成しているが、これは設計上の問題であり本実施例に限定するものではない。その他の方法として、それぞれに分離した枠や底板をネジや接着剤で組み立てて枠体とする方法がある。
【図面の簡単な説明】
【０００８】
【図１】本考案の実施例を示す、枠体の正面図である。
【図２】本考案の実施例を示す、枠体の側面図である。
【図３】本考案の実施例を示す、枠体の平面図である。
【図４】本考案の実施例を示す、枠体の底面図である。
【図５】本考案の実施例を示す、下方から見た斜視図である。
【図６】本考案の実施例を示す、正面から見た使用状況図である。
【図７】本考案の実施例を示す、側面から見た使用状況図である。
【符号の説明】
【０００９】１  粘着テープ
２  上部枠
３  吊り下げ用枠
４  ズリ止め用縁枠
５  底板
６  テーブル天板
７  底板の開口部
８  ティシュボックス
【図１】
0003131963.tif 000003
【図２】
0003131963.tif 000004
【図３】
0003131963.tif 000005
【図４】
0003131963.tif 000006
【図５】
0003131963.tif 000007
【図６】
0003131963.tif 000008
【図７】
0003131963.tif 000009
(57)【要約】      （修正有）【課題】凹凸のある雪面からの衝撃をソリが吸収し、体重移動でソリの進行方向を左右に変えることができるようにする。【解決手段】中央部分に穴のあるゴム製の円形チューブに３本のスキー板をベルトで固定する。【選択図】図１
0003131961.tif 000002
【実用新案登録請求の範囲】
【請求項１】
・３本のスキー板をベルトで固定した中央部分に穴のある円形のゴム製ソリ。
【考案の詳細な説明】
【考案の開示】
【考案が解決しようとする課題】
【０００１】従来、ソリの進行方向を変えることは困難であった。また、ソリに乗っている時に凹凸のある雪面からの衝撃で不快な思いをするという問題点を有していた。
【課題を解決しようとする手段】
【０００２】上記目的を達成するために、中央部分に穴のある円形のゴム製チューブに３本のスキー板をベルトで固定した。
【考案の効果】
【０００３】体重移動で進行方向を左右に変えることができる。
円形のゴム製チューブには空気が入っており、それがクッションとなって雪面からの衝撃を吸収することができる。
バランス感覚が養われる。
【図面の簡単な説明】
【０００４】
【図１】３本のスキー板を有する円形のゴム製ソリの全景図である。
【図２】３本のスキー板を有する円形のゴム製ソリを真下から見た図である。
【図３】３本のスキー板を有する円形のゴム製ソリを真上から見た図である。
【図４】３本のスキー板を有する円形のゴム製ソリを分解した図である。円形のソリの材質はブチルゴムとし、約０．２ｋｇの空気圧とする。
【符号の説明】
１    円形のブチルゴム製チューブ
２    空気取入口
３    取っ手
４    ステンレス製スクリュー
５    プラスチック製ベルト固定用板
６    プラスチック製ベルト
７    プラスチック製スキー板
【図１】
0003131961.tif 000003
【図２】
0003131961.tif 000004
【図３】
0003131961.tif 000005
【図４】
0003131961.tif 000006
(57)【要約】      （修正有）【課題】助手席側のドアミラーを見て後方確認をする動作とモニターを見て助手席側周辺の安全を確認する動作とを一回の動作で行うことができる車両用助手席側周辺確認装置を提供する。【解決手段】助手席側のドアミラー２に助手席側周辺確認用のサイドカメラ３を下向きに内蔵するとともに該サイドカメラの映像を映すモニター４を助手席側のドア１に埋め込んだことを特徴とする。【選択図】図１
0003131966.tif 000002
【実用新案登録請求の範囲】
【請求項１】
助手席側のドアミラーに助手席側周辺確認用のサイドカメラを下向きに内蔵するとともに該サイドカメラの映像を映すモニターを助手席側のドアに埋め込んだことを特徴とする車両用助手席側周辺確認装置。
【考案の詳細な説明】
【技術分野】
【０００１】  この考案は助手席側のドアミラーに助手席側周辺確認用のサイドカメラを内蔵し運転する人が助手席側のドアミラーを見る動作で同時にサイドカメラの映像を映したモニターを見ることができる車両用助手席側周辺確認装置に関する。
【背景技術】
【０００２】  従来、下記特許文献１および２に示されるように、助手席側のドアミラーに助手席側周辺確認用のサイドカメラを内蔵しその映像をモニターで確認することにより運転席から見えないまたは見えにくい死角となる位置の安全を確認できるようにした助手席側周辺確認装置が知られている。しかしながら、これらのものはいずれもモニターを運転席付近に設けているため、運転する人は助手席側のドアミラーを見て後方確認をする動作と運転席付近に設けられたモニターを見て助手席側周辺の安全を確認する動作とを別々に２段階で行う必要があり、瞬間の判断を要求される運転に一瞬の遅れをもたらす支障となるばかりでなく運転席周辺にモニター設置用のスペースを確保する必要があるという欠点があった。
【特許文献１】  特開２０００−１６１８１
【特許文献２】  特開２０００−１６８４４０
【考案の開示】
【考案が解決しようとする課題】
【０００３】  この考案の目的は、上記従来装置の欠点を改良することであり、助手席側のドアミラーを見て後方確認をする動作とモニターを見て助手席側周辺の安全を確認する動作とを一回の動作で同時に迅速に行うことができかつ運転席周辺にモニター設置用のスペースを確保する必要がない車両用助手席側周辺確認装置を提供することである．
【課題を解決するための手段】
【０００４】  上記課題を解決するため、この考案の車両用助手席側周辺確認装置は、助手席側のドアミラーに助手席側周辺確認用のサイドカメラを下向きに内蔵するとともに該サイドカメラの映像を映すモニターを助手席側のドアに埋め込んだことを特徴としている。
【考案の効果】
【０００５】  このような構成にしたことにより、この考案の車両用助手席側周辺確認装置は、助手席側のドアミラーを見る動作と同時にモニターを見ることができ助手席側の後方確認と助手席側周辺の安全確認とを一回の動作で同時に迅速に行うことができ、しかも運転席周辺にモニター設置用のスペースをわざわざ確保する必要がなく、モニターを助手席側のドアに埋め込んだことによりモニターが助手席に乗る人の邪魔にならないという優れた効果を奏する。
【考案を実施するための最良の形態】
【０００６】  この考案の車両用助手席側周辺確認装置について図面を参照しながら説明する。図１は、右ハンドルの車両の運転席側から見た助手席側のドアおよびドアミラーを示したものである。ドア１の外側の見やすい位置にドアミラー２が設けられ助手席側の後方を確認するようになっている。ドアミラー２にはそのハウジング内にサイドカメラ３がレンズを下向きにして内蔵されている。サイドカメラ３のレンズは広角レンズにより構成され、ドアミラー２の下側周辺および車両左前方を広く撮影するようになっている。【０００７】  ドア１の内側にはモニター４がその画面だけが見えるように本体部分を埋め込まれていて、サイドカメラ３で撮影した映像を映し出すようになっている。モニター４を設置する位置は、ドアミラー２になるべく近く運転する人がドアミラー２とモニター４の画面とを視線をほとんど動かすことなく同時に見ることができる位置であることが望ましい。【０００８】  車両を運転する人が助手席側後方および周辺の安全確認をする場合には、左を向いてドアミラー２で助手席側の後方の安全を確認すると同時に、そのままの姿勢でモニター４の画面を見て運転席からは直接見ることのできないドアミラー２の下側周辺および車両左前方の安全を確認することができるから助手席側後方および周辺の両方の安全確認動作を一瞬にして行うことができる。【０００９】  モニター４の本体部分がドア１内に埋め込まれているためモニター４が助手席に乗る人の邪魔になることは全くなく、また、従来装置のようにモニターを運転席前方に設ける必要がないから運転席の周辺に設置するためのスペースを確保する必要もない。【００１０】  以上右ハンドルの車両の場合について説明したが、左ハンドルの車両の場合にも左右向きを逆にするだけで同様に使用できることは言うまでもなく、その場合も全く同様の作用効果を期待することができる。
【図面の簡単な説明】
【００１１】
【図１】  右ハンドルの車両の運転席側から見た助手席側のドアおよびドアミラー
【符号の説明】
【００１２】  １  ドア    ２  ドアミラー    ３  サイドカメラ    ４  モニター
【図１】
0003131966.tif 000003
(57)【要約】      （修正有）【課題】伊予柑、夏みかん等、柑橘類の皮をラッセル車のように捲り上げながら、内部の果肉袋表面をスキー板先端の反りが滑るように捉えることによって果肉を傷めることなく、子供や高齢者なども簡単で、安全かつ確実に皮むきができるようにする。【解決手段】Ａ型皮むき器の場合、Ａ型刃先１ａおよびＡ型刃３ａを除雪車のラッセル形状とすることによって、皮を切り裂きつつ、捲り上げながら皮を切り裂くことができる。また、ラッセルのＡ型刃先１ａ下部をスキー板先端のように、反らせたＡ型反り面５ａとすることによって、果肉袋を傷つけることなく、皮を切り開いて引き剥がすことができる。さらに、大型船の船首部分のように、ラッセル形状のＡ型刃先１ａ部分をＶ字型に凹ますことによって、皮を確実に捉えるとともに、Ａ型刃先１ａを鋭利にしなくてもよいので安全性は高い。Ｂ型皮むき器の場合もＢ型保護翼８ｂの安定性を除けば、基本的にはＡ型皮むき器と同じである。【選択図】図２
0003131901.tif 000002
【実用新案登録請求の範囲】
【請求項１】
伊予柑、夏みかん等、柑橘類の皮を内部の果肉を傷めることなく、簡単で、安全かつ確実に皮を剥くことができるよう、皮を果肉袋から引き離しながら切り裂くことができるラッセル形状の刃と同下部反り面とによって、果肉袋に優しく接する保護接触面をも兼備えた柑橘皮むき器。
【請求項２】
皮むき器のラッセル形状の刃と果肉袋を保護する接触面を確保するためには、刃のラッセルにある程度の幅が必要となるが、その接触面に部分的な保護翼を取り付けることによって、刃の厚みを薄くしても皮と果肉袋の境を水中翼のように果肉を傷めることなく、皮を浮き上がらせながら、簡単で、安全かつ確実に皮を剥くことができるようにした保護翼付柑橘皮むき器。
【考案の詳細な説明】
【技術分野】
【０００１】
本考案は、伊予柑、夏みかん等、厚皮柑橘類の皮むき器で、柑橘類の皮を内部の果肉を傷めることなく、簡単で、安全かつ確実に皮を剥くことができる。
【背景技術】
【０００２】
従来、伊予柑、夏みかん等、厚皮柑橘類の皮むきは、ナイフ等での切り込みを入れる場合でも、皮むき器を使用する場合でも、切り込みを入れてから皮むきという具合に手間のかかるものだった。さらに、いずれの場合も鋭い刃が剥き出しになっていることから、果肉を傷めるだけでなく怪我の恐れもあるので、子供や高齢者などが単独で食するには不安があった。
【考案の開示】
【考案が解決しようとする課題】
【０００３】
伊予柑、夏みかん等、厚皮柑橘類の皮むきに際して、その切り込みと皮むきを同時に、しかも果肉を傷めることなく、子供や高齢者などでも簡単で、安全かつ確実に皮むきができること。
【課題を解決するための手段】
【０００４】
本考案は、皮むき器の刃先および刃を除雪車のラッセル形状とし、皮を切り裂きつつ捲り上げながら推し進めることによって、切り込みと皮むきを同時に行うことができる。ラッセルの刃先下部面をスキー板先端のように反らせることによって、果肉袋を傷つけることなく、皮を切り開いて引き剥がすというように、切り込みと皮むきを同時に行うことができる。
【０００５】
大型船の船首部分のようにラッセル形状の刃先部分をＶ字型に凹ますことによって、刃先を鋭利にすることなく、皮を確実に捉えることができる（指先を刃先に当てて擦っても傷つくことはない）。さらに、刃先部分は凹んでいるので、多少乱暴に扱っても怪我することも壊れるようなこともない。
【考案の効果】
【０００６】
上述のように、伊予柑、夏みかん等、柑橘類の皮を内部の果肉を傷めることなく、簡単で、安全かつ確実に皮を剥くことができるので、子供や高齢者だけでも容易に食することができるなど、厚皮柑橘類がより身近な果物となる。
【０００７】
本考案の皮むき器は、極めて単純明快な原理に基づいたものであり、構造もいたって簡単なつくりで、使い勝手のよい機能性に富んだものとなっている。このため、アクリル、プラスチック樹脂等で簡単に成型加工することができるので、従来のものと較べ、大幅なコストダウンを図ることができる。材質的には金属・非金属に限らず木材、竹等でも充分可能。
【考案を実施するための最良の形態】
【０００８】
本考案の皮むき器を厚皮柑橘類のへそに切先を差し込み、皮がＶ字型の刃先に当たるよう皮むき器をへたの方に向けて切先を潜行させながら、その表面を推し進めるように柑橘を移動させていくことによって、切り込みと皮むきを同時に行うことができる。
【０００９】
このとき切先下部反り面は果肉袋の表面を滑るように進み、切先上部左右のラッセル刃が皮を浮き上がらせながら、刃先で皮を切り裂いていく。さらに、柑橘の皮を刃先に押し当てるように柑橘を回していくことによって、切り込みと皮むきをより簡単で、安全かつ確実に行うことができる。
【実施例１】
【００１０】
以下、添付図面に従って実施例を説明する。図１および図２は、果肉保護翼を有しない（以下「Ａ型」と言う。）皮むき器の正面図とその側面図である。本考案のＡ型皮むき器を厚皮柑橘類のへそにＡ型切先１ａを差し込み、皮がＶ字型のＡ型刃先２ａに当たるようＡ型皮むき器をへたの方に向けてＡ型切先１ａを潜行させながら、その表面を推し進めるように柑橘を移動させていく。
【００１１】
このようにして、切り込みと皮むきを同時に行うとともに、このときＡ型切先１ａ下部反り面５ａは果肉袋の表面を滑るように進み、Ａ型切先１ａ上部左右のラッセルＡ型刃３ａが皮を浮き上がらせながら、Ａ型刃先２ａで皮を切り裂いていく。柑橘の皮をＡ型刃先２ａに押し当てるように柑橘を回していくことによって、切り込みと皮むきをより簡単で、安全かつ確実に行うことができる。
【実施例２】
【００１２】
図３、図４および図５は、果肉保護翼を有する（以下「Ｂ型」と言う。）皮むき器の正面図とその側面図および断面図である。皮むきの方法については、Ｂ型皮むき器の場合もＡ型皮むき器とまったく同じであるが、Ｂ型保護翼８ｂは、果肉を傷めることなく、果肉袋の表面を滑らせるＢ型反り面５ｂの機能を補完するものであると同時に、皮と果肉袋の境を進んでいる時にＢ型切先１ｂが不用意に皮を突き破ってこないよう、皮むきをより安定させるためのものである。  
【図面の簡単な説明】
【００１３】
【図１】本考案のＡ型柑橘皮むき器の正面図である。
【図２】本考案のＡ型柑橘皮むき器の側面図である。
【００１４】
【図３】本考案のＢ型柑橘皮むき器の正面図である。
【図４】本考案のＢ型柑橘皮むき器の側面図である。
【図５】図４のＢ型柑橘皮むき器のＡ−Ｂ断面図である。
【符号の説明】
【００１５】
１ａ  Ａ型切先
２ａ  Ａ型刃先
３ａ  Ａ型刃
４ａ  Ａ型鎬
５ａ  Ａ型反り面
６ａ  Ａ型本体
７ａ  Ａ型吊孔
【００１６】
１ｂ  Ｂ型切先
２ｂ  Ｂ型刃先
３ｂ  Ｂ型刃
４ｂ  Ｂ型鎬
５ｂ  Ｂ型反り面
６ｂ  Ｂ型本体
７ｂ  Ｂ型吊孔
８ｂ  Ｂ型保護翼
【図１】
0003131901.tif 000003
【図２】
0003131901.tif 000004
【図３】
0003131901.tif 000005
【図４】
0003131901.tif 000006
【図５】
0003131901.tif 000007
(57)【要約】【課題】  物と物とを繋いだり、括ったり、物を束ねたりする場合、思ったより手間ひまが掛かり長時間を費やしてしまうことが多い。  大量の物と物を繋いだり、括ったり、物を束ねたりする場合、単価の高い留め具を使用すると費用も掛かる。【解決手段】  紐の先端に輪状の形をした部分を設け、その輪状の形の部分に、紐の片一方の部分を通して結ぶ簡単な方法により、短時間で効率よく作業が出きるように考案した。  紐の一方の先端に輪状の形をした部分を設けるだけなので、製作は簡単で製作費用も安くて済む。【選択図】図１
0003131978.tif 000002
【実用新案登録請求の範囲】
【請求項１】
輪状の形をした部分を、紐の一方の先端に設けた結び紐。
【考案の詳細な説明】
【技術分野】
【０００１】  本考案は、物を束ねたり、物と物を繋いだり、括ったりすることが簡単にできる結び紐に関するものである。
【背景技術】
【０００２】  従来の結び紐にはメンファスナーを用いたもの、留め具を用いたものなどがあるが、紐のみで簡単に物を束ねたり、物と物を繋いだり、括ったりすることが出きる結び紐はなかった。
【考案の開示】
【考案が解決しようとする課題】
【０００３】  建築工事、土木工事などを実施する際、安全確保のため、幕と幕を繋ぎ合わせ覆いをするが、繋ぐ箇所が多いと手間が掛かり、その作業に長時間を費やさなければならない。
広告宣伝の幕、旗，のぼりを括りつけたり、テントを張ったり、古新聞を束ねたりするのも思ったより時間が掛かり、簡単にはいかないものである。
大量の物と物を繋いだり、括ったり、物を束ねたりする場合、単価の高い留め具を使用すると費用がかさむ。
従って、作業を行う場合、出きるだけ短時間で、簡単に、繋いだり、括ったり、束ねルことが出来しかも費用を安く済ませたい。
【課題を解決するための手段】
【０００４】  本考案は、紐の先端に輪状の形をした部分を設け、紐の片一方の端を輪状の形の部分に通して結ぶという簡単な方法で、今までの方法より簡単に手際よく、物と物を繋いだり、括ったり、物を束ねたりすることができるように考案したものである。
紐の先端を輪状の形にした単純な結び紐なので製作も簡単、製作費用も安くて済む。
【考案の効果】
【０００５】  紐の先端の輪状の部分に、紐の片一方の端を通して結ぶだけのことなどで簡単で、手間が省け、作業の効率が上がる。
結んだ紐は簡単に外すことが出来、再使用できる。
結び紐は構造がシンプルなので、製作が容易で費用も安価で済む。
従って、大量に使用する場合でも経費があまり掛からない。
【考案を実施するための最良の形態】
【０００６】  本考案は、図３で示すとおり、結び紐の輪状の部分１に紐の片一方の端２を通して、輪状の部分を抑え、締め付け部位３を引きながら締め付けるという極めて簡単な結び方で、物と物とを繋いだり、括りつけたり、物を束ねたりすることが出きる。
図からは、結び方が複雑に見えるが実際には非常に簡単である。
外した結び紐は再使用出きるので経済的である。
【図面の簡単な説明】
【０００７】
【図１】  本考案の斜視図である。
【図２】  本考案の正面図である。
【図３】  本考案の使用中の斜視図である。
【符号の説明】
【０００８】  １    結び紐の輪状の形の部分。
２    結び紐の一端。
３    締め付け部位。
【図１】
0003131978.tif 000003
【図２】
0003131978.tif 000004
【図３】
0003131978.tif 000005
【手続補正書】
【提出日】平成19年2月26日(2007.2.26)
【手続補正１】
【補正対象書類名】図面
【補正対象項目名】図３
【補正方法】変更
【補正の内容】
【図３】
0003131978.tif 000006
(57)【要約】      （修正有）【課題】均質な樽の風味を有する樽風味酒を提供する。【解決手段】木材以外の材料にて形成した透光性容器１と、この容器内に収納したアルコール飲料と、該容器内の飲料に浸かるように収納された所定量のこの味・香りを出すことのできる木材にて略環状に形成された樽風味材４とから構成されることを特徴とする。【選択図】図３
0003131977.tif 000002
【実用新案登録請求の範囲】
【請求項１】
木材以外の材料にて形成した透光性容器と、この容器内に収納したアルコール飲料と、該容器内の飲料に浸かるように収納された所定量の木の味・香りを出すことのできる木材にて略環状に形成された樽風味材とから構成されることを特徴とする樽風味酒。
【請求項２】
樽風味材に、適宜に文字・図形を、刻印、焼き印、印刷、切り抜きの中から任意に選択した手段にて表現してなる請求項１記載の樽風味酒。
【考案の詳細な説明】
【技術分野】
【０００１】  この考案は、アルコール飲料とともに所定の木片を容器内に封入することにより、樽を印象づける視覚的効果とともに、木片より醸し出される風味にて、所定の樽風味を有するアルコール飲料を得ることのできる樽風味酒に関する。
【背景技術】
【０００２】  従来より、樽酒は樽に日本酒を入れて所定時間経過させ、樽の味や香りを付けており、本案にて示すように、手頃な容器内に酒とともに所定の木片を封入することによって樽風味酒を得られるものはなかった。
【考案の開示】
【考案が解決しようとする課題】
【０００３】  既述のように、樽風味を有する酒を得るには樽内に酒を一定時間入れておき、これにて樽を構成する木材の味・香りを酒に移す以外に方法はなかった。
しかし、樽を構成している木材の種類や新旧および時間等によって、樽に詰められた日本酒につく樽の味や香りが異なり、一定の品質に保つことは熟練者以外には難しかった。
このため、樽酒は受注生産以外は生産できず、ビンや缶に詰めて販売するような販売方法が取れないという問題があった。さらに、樽を用いるので所定量を一度に使い切らねばならず、個人もしくは少人数での利用には適さないという問題があった。
本案は、以上のような従来からの樽酒に関わる課題を解決するために考案されたもので、所定容器に酒とともに所定の環状木片を封入することにより、樽を思わせる外観とともに均質な樽風味酒を手軽に得ることのできる新規かつ有用なる物品を提供することを目的としたものである。
【課題を解決するための手段】
【０００４】  課題を解決する手段として本案は、以下の構成とした。
すなわち、木材以外の材料にて形成した透光性容器と、この容器内に収納したアルコール飲料と、該容器内の飲料に浸かるように収納された所定量の木の味・香りを出すことのできる木材にて略環状に形成された樽風味材とから構成する。本案は以上の構成よりなる樽風味酒である。なお、樽風味材に、適宜に文字・図形を、刻印、焼き印、印刷、切り抜きの中から任意に選択した手段にて表現して構成してもよい。
【考案の効果】
【０００５】  本案は下記の効果を有する。
１．容器内に酒と所定の樽風味材を封入するので、従来のように樽に日本酒を入れてから出荷するまでの期間による味や香りの変化が無く、熟成効果によって常に均等な味と香りを保つことができ、長期保存も可能である。
２．所定容器内に所定の樽風味材を封入する方式のため、だれでも簡単かつ容易に均質な樽風味の酒を造ることができる。
３．適当容量の容器を用いることにより、多量生産が可能となり、個人や少人数での利用に向いた商品を提供することができる。
４．樽風味材を適宜に選択することにより、日本酒以外の酒にも利用することができる。
５．透光性容器内に環状の樽風味材を封入することにより、樽をイメージさせる外観上の特徴を表出させることができ、印刷その他の手段にて文字や図形を表現することにより、より面白みのあるデザインを得ることができる。
【考案を実施するための最良の形態】
【０００６】  以下、本案の実施形態について説明する。
図において、１は透明ガラスビンで形成された容器で、上部の口部にはその外周に雄ネジが形成され、この雄ネジに螺合する雌ネジを内設した蓋２が螺着している。この容器の外面中ほどはやや小径となり、この部分に所定の文字・図案等が印刷された不透明素材によるラベル３が貼着される。４は樽風味材である。この樽風味材は、選択した木材を所定厚さ・巾に削り取って丸め、平面視略環状に形成したもので、前記の容器内に日本酒とともに封入され、また、樽風味材は若干の弾力を有してその外径を大とする方向に広がろうとするが、容器内面に接してその外径は制限され、外観上は透明ビンと近似の形状となって、樽をイメージさせる外観的特徴が得られる。
この樽風味材としては、杉、檜、樫、紅葉樹、キハダ、シコロ等が利用に適している。
上記のごとく所定状態に封入された容器内では、酒が風味材に染み込み、風味材の有する味や香りが酒に移って、所定時間の放置にて飲用に適した状態となる。
一定時間の放置にて樽風味材の風味は酒に移り、いわゆる熟成がなされ、それ以後は樽風味酒の味と香りに変化はなく、すなわち均質な樽風味酒として飲用することができる。【０００７】  なお、樽風味材に、適宜に文字や図形を、刻印、焼き印、印刷、切り抜き等の手段を用いて表現することにより、視覚的に面白みのあるものとすることができる。
アルコール飲料としては、日本酒以外に焼酎、ウィスキー、ブランデー、ワイン等があるが、樽風味材の木材種類を適宜に選択して用いることによって木材の味と香りを付加した新規な飲料を得ることも可能である。
本案の利用形態としては、通常の飲用の他に、記念日のお祝品例えば結婚式、金婚式、銀婚式、誕生日、成人式、酒のタイムカプセル等として使用でき、あるいは観光みやげとしても有効に利用することができる。
以上のごとく、本案によって従来にない新規な樽風味酒を提供することができる。
【図面の簡単な説明】
【０００８】
【図１】  本考案の樽風味材の平面図
【図２】  本考案の樽風味材の正面図（縦線は木目を意味する）
【図３】  本考案の正面図（点線円は文字を意味する）
【図４】  Ａ−Ａ断面図
【図５】  本考案の要部説明図（一部略）
【符号の説明】
【０００９】  １  容器
２  蓋
３  ラベル
４  樽風味材
【図１】
0003131977.tif 000003
【図２】
0003131977.tif 000004
【図３】
0003131977.tif 000005
【図４】
0003131977.tif 000006
【図５】
0003131977.tif 000007
(57)【要約】      （修正有）【課題】障害のある人であっても、扱う事が出来る解り易いボタン配置で単純な操作方法をした構造に加え、入力操作自体を補助して疲労を軽減しつつ作業効率を高める事で、抵抗なく入力操作ができるキーボード。【解決手段】ローマ字主体の入力方式となっているパソコン用キーボードのボタン、ＡからＺまでのアルファベット２６キーから、常用語の日本語５５音の各行、あ・か・さ・た・な・は・ま・や・ら・わの行頭１０キーとする事により、入力方式を概念から日本語主体として入力出来る様にし、小文字や濁点、句読点、記号、また半角、全角、直接入力など、その他の補助的なボタンも、解りやすく区分し明確に配置をした構造とし、操作方法はキー１つに対し各行をあ段、い段、う段、え段、お段そしてまたあ段からなど、そのキーが担当する語句のローテーションを繰り返す中で文字を選択する単純な方法で操作し、入力文章を予測し入力操作自体を補助する定型文章編集の学習機能を搭載するキーボードとした。【選択図】図１
0003131972.tif 000002
【実用新案登録請求の範囲】
【請求項１】
ローマ字主体の入力方式となっているパソコン用キーボードのボタン、ＡからＺまでのアルファベット２６キーから、常用語の日本語５５音の各行、あ・か・さ・た・な・は・ま・や・ら・わの行頭１０キーとする事により、入力方式を概念から日本語主体として入力出来る様にした物で、小文字や濁点、句読点、記号、また半角、全角、直接入力など、その他の補助的なボタンも、解りやすく区分し明確に配置をした構造をなし、操作方法はキー１つに対し各行をあ段、い段、う段、え段、お段そしてまたあ段からなど、そのキーが担当する語句のローテーションを繰り返す中で文字を選択する単純な方法で操作し、機能として入力文章を予測し入力操作自体を補助する定型文章編集機能を搭載した、指神経障害者対応キーボードである。
【考案の詳細な説明】
【技術分野】
【０００１】パソコンで使用するキーボード本体の、ボタンそれぞれの役割ならびに、その配置に関するものである。
【背景技術】
【０００２】パソコンは脳梗塞患者などが意思疎通や社会復帰をする道具として非常に有意義なものだが、アルファベットを並べた一般のキーボードは各アルファベットがどこにあるか把握する事が難しく、リハビリ患者や高齢者、初心者の大きな壁となっており、本人や周囲の支援者を肉体的また精神的にも疲労させているうえ、結果として社会復帰を遅らせている一因となっている。
【考案の開示】
【考案が解決しようとする課題】
【０００３】リハビリ中の患者や高齢者・初心者にできるだけ解りやすいボタン配置と操作方法、そして補助機能を搭載する等で、抵抗なく入力操作ができる事を課題とする。
【課題を解決するための手段】
【０００４】アルファベット主体から日本語主体とする事で、主たるボタンは，あ・か・さ・た・な・は・ま・や・ら・わ、の１０キーにまとめ、アルファベット２６文字は、あ〜わの１０キーにそれぞれ３から４文字づつ配置する。
【考案の効果】
【０００５】あ行から５５音順に各行頭を並べたボタン配列なので配置を把握し易く、ボタンを一度押すごとにその行のあ段⇒い段⇒う段⇒え段⇒お段そして再びあ段からのローテーションを繰り返し文字を選択するという理解しやすい操作方法の為、高齢の初心者や指に障害を持つ人でも抵抗無く扱う事が出来るうえ、文章を予測する定型文章編集機能により、入力操作を軽減しつつ効率を上げる事が出来る。
【考案を実施するための最良の形態】
【０００６】通常のキーより一回り大きなボタンで、５５音の各行頭を順番に配置する。【０００７】小文字や濁点、句読点、記号、また半角、全角、直接入力など、その他の補助的なボタンも、解りやすく区分し主なるあ行からわ行の１０キーの周りに明確に配置する。【０００８】感触でもキーを識別できるように、あ行からわ行の１０キーの並びは少しづつ段差をつける。【０００９】文章入力を補助する定型文章編集の学習機能を搭載する事で、入力操作自体を補助し操作回数を軽減する。【００１０】入力モード切り替えも「ひらがな」「全角カタカナ」「半角カタカナ」「半角英字」「全角英字」を単独のボタンとして配置する。
【実施例】
【００１１】ボタンの配置を把握し易い。
操作方法が解り易い
パソコンがはじめての人でも抵抗なく扱う事が出来る
入力文章にたいして、辞書機能や慣例学習機能が文章入力を更にサポートするので、打ち込み回数は減り、疲労を軽減しつつ作業性が上がる。
言語に障害を持つ人でも、パソコンで第三者と意思疎通ができる。
障害を持つ人でもパソコンを抵抗なく扱い続ける事ができる為、インターネットなどを介し交流を広げる事ができる。
社会復帰の要因として役立つほか、自信に繋がる。
【図面の簡単な説明】
【００１２】
【図１】・・・伏せ図
【符号の説明】
【００１３】    １−１      本体
１−２      テンキー
１−３      エンターボタン
１−４      円ボタン
１−５      バックスペースキー
１−６      デリートキー
１−７      カーソルキー
１−８      ファンクションキー
１−９      コントロールキー
１−１０    オルトキー
１−１１    シフトキー
１−１２    キャップスキー
１−１３    エスケープキー
１−１４    スペースキー
１−１５    変換キー
２          あ行／ＡＢＣキー
３          か行／ＤＥＦキー
４          さ行／ＧＨＩキー
５          た行／ＪＫＬキー
６          な行／ＭＮＯキー
７          は行／ＰＱＲキー
８          ま行／ＳＴＵキー
９          や行／ＶＷＸキー
１０        ら行／ＹＺキー
１１        わ行／，＜＞キー
１２        小文字あいうえおキー／スラッシュキー
１３        小文字っ／・＞＜キー
１４        小文字ゃゅょ／；：キー
１５        濁点／度分秒キー
１６        ー／−＿キー
１７        句読点？！・〜キー
１８        記号キー
１９        「（／＠キー
２０        」）／・キー
２１        矢印／○キー
２２        単位キー
２３        イコールキー
２４        ひらがなキー
２５        カタカナキー
２６        半角カタカナキー
２７        半角英字キー
２８        全角英字キー
【図１】
0003131972.tif 000003